(57)【要約】【課題】圧入により杵軸に固定された杵頭を杵軸から容易かつ迅速に取り外すことができるようにした杵頭取り外し治具及び杵頭取り外し方法を提供する。【解決手段】杵軸４０の先端に形成されたテーパ部４０ｃを杵頭３０に穿設された圧入孔３０ｃに圧入することにより杵軸４０に杵頭３０を取り付ける高速連続餅つき装置１００の杵頭取り外し治具７０であって、接合することにより中央部に杵軸４０の径に対応する挿入孔７４が形成される２つに分割された第１の部材７１ａ及び第２の部材７１ｂと、締め付けることにより、第１の部材７１ａ及び第２の部材７１ｂを杵軸４０に取り付ける取付用螺子７２ａ、７２ｂと、第１の部材７１ａ及び第２の部材７１ｂのそれぞれに植設され、締め付けることにより、杵頭３０を杵軸４０に対して押し下げ、杵頭３０を杵軸４０から取り外す複数の取外し用螺子７６と、を具備する。【選択図】図４
2017226055.tif 000002
【特許請求の範囲】
【請求項１】
杵軸の先端に形成されたテーパ部を杵頭に穿設された孔に圧入することにより前記杵軸に前記杵頭を取り付ける餅つき装置の杵頭取り外し治具であって、
接合することにより中央部に前記杵軸の径に対応する挿入孔が形成される２つに分割された第１の部材及び第２の部材と、
前記第１の部材及び前記第２の部材の端部に設けられ、前記第１の部材と前記第２の部材とを接合して締め付けることにより、前記第１の部材及び第２の部材を前記杵軸に取り付ける取付用螺子と、
前記第１の部材及び前記第２の部材のそれぞれに植設され、締め付けることにより先端が前記杵頭に当接して、前記杵頭を前記杵軸に対して押し下げ、前記杵頭を前記杵軸から取り外す複数の取外し用螺子と、
を具備することを特徴とする杵頭取り外し治具。
【請求項２】
前記杵軸と前記テーパ部との接合部に、前記杵軸の径から僅かに小さくなる段差部を有し、
前記挿入孔は、その内周面に前記段差部に対応する段差が形成され、
前記第１の部材及び第２の部材は、前記杵軸の前記段差部を含む位置に取り付けられる
ことを特徴とする請求項１に記載の杵頭取り外し治具。
【請求項３】
前記杵頭は、
その上面に複数の螺子で螺子止めされた杵頭保持部材
を有し、
前記テーパ部を圧入する前記杵頭に穿設された孔は、
前記杵頭保持部材に形成される
ことを特徴とする請求項１又は２に記載の杵頭取り外し治具。
【請求項４】
前記取外し用螺子は、
その先端が前記杵頭保持部材を取り付ける螺子の頭部に当接して前記杵頭を前記杵軸に対して押し下げる
ことを特徴とする請求項３に記載の杵頭取り外し治具。
【請求項５】
杵軸の先端に形成されたテーパ部を杵頭に穿設された孔に圧入することにより前記杵軸を前記杵頭に取り付ける餅つき装置の杵頭取り外し方法であって、
接合することにより中央部に前記杵軸の径に対応する挿入孔が形成される２つに分割された第１の部材及び第２の部材からなる杵頭取り外し治具を用意する工程と、
前記第１の部材と前記第２の部材とで前記杵軸を挟み、前記第１の部材及び前記第２の部材の端部に設けられた取付用螺子を締め付けることにより前記第１の部材と前記第２の部材とを接合して前記杵軸に前記第１の部材及び第２の部材を取り付ける工程と、
前記第１の部材及び前記第２の部材のそれぞれに植設された複数の取外し用螺子を均等に順次締め付けることにより、前記取外し用螺子の先端を前記杵頭に当接させ、これにより前記杵頭を前記杵軸に対して押し下げて前記杵頭を前記杵軸から取り外す工程と、
を具備することを特徴とする杵頭取り外し方法。
【発明の詳細な説明】
【技術分野】
【０００１】
本発明は、杵頭取り外し治具及び杵頭取り外し方法に関し、特に、杵軸を杵頭に圧入により固定した餅つき装置における杵頭取り外し治具及び杵頭取り外し方法に関する。
【背景技術】
【０００２】
従来、杵頭に杵軸を取り付けた杵を用いる餅つき装置としては、特許文献１に開示された「餅つき機」が知られている。
【０００３】
この特許文献１には、先端に杵頭５を有する杵軸４を上下して餅つきを行う「餅つき機」が開示されている。
【０００４】
さて、出願人は、杵頭に杵軸を取り付けた杵を用いる餅つき機を円盤状の台座の周縁に複数個、例えば、１２個配置して、これらの餅つき機を台座の周縁に沿って所定速度で回転して、順次餅つきを行う高速連続餅つき装置を開発した。
【０００５】
上記高速連続餅つき装置では、１２個の杵頭がそれぞれの杵軸に取り付けられており、また、杵頭に対する杵軸の取り付けは、杵軸を杵頭に圧入することにより行われている。
【０００６】
しかし、このような構成の高速連続餅つき装置において、例えば、杵頭の取り換え等のために、杵軸から杵頭を取り外そうとすると、その作業は非常に時間と手間がかかるものとなった。
【先行技術文献】
【特許文献】
【０００７】
【特許文献１】特開２０１０−２５３１３３号公報
【発明の概要】
【発明が解決しようとする課題】
【０００８】
そこで、本発明は、圧入により杵軸に固定された杵頭を杵軸から容易かつ迅速に取り外すことができるようにした杵頭取り外し治具及び杵頭取り外し方法を提供することを目的とする。
【課題を解決するための手段】
【０００９】
上記の目的を達成するため、請求項１の発明は、杵軸の先端に形成されたテーパ部を杵頭に穿設された孔に圧入することにより前記杵軸に前記杵頭を取り付ける餅つき装置の杵頭取り外し治具であって、接合することにより中央部に前記杵軸の径に対応する挿入孔が形成される２つに分割された第１の部材及び第２の部材と、前記第１の部材及び前記第２の部材の端部に設けられ、前記第１の部材と前記第２の部材とを接合して締め付けることにより、前記第１の部材及び第２の部材を前記杵軸に取り付ける取付用螺子と、前記第１の部材及び前記第２の部材のそれぞれに植設され、締め付けることにより先端が前記杵頭に当接して、前記杵頭を前記杵軸に対して押し下げ、前記杵頭を前記杵軸から取り外す複数の取外し用螺子と、を具備することを特徴とする。
【００１０】
請求項２の発明は、請求項１に記載の発明において、前記杵軸と前記テーパ部との接合部に、前記杵軸の径から僅かに小さくなる段差部を有し、前記挿入孔は、その内周面に前記段差部に対応する段差が形成され、前記第１の部材及び第２の部材は、前記杵軸の前記段差部を含む位置に取り付けられることを特徴とする
請求項３の発明は、請求項１又は２に記載の発明において、前記杵頭は、その上面に複数の螺子で螺子止めされた杵頭保持部材を有し、前記テーパ部を圧入する前記杵頭に穿設された孔は、前記杵頭保持部材に形成されることを特徴とする。
【００１１】
請求項４の発明は、請求項３に記載の発明において、前記取外し用螺子は、その先端が前記杵頭保持部材を取り付ける螺子の頭部に当接して前記杵頭を前記杵軸に対して押し下げることを特徴とする。
【００１２】
請求項５の発明は、杵軸の先端に形成されたテーパ部を杵頭に穿設された孔に圧入することにより前記杵軸を前記杵頭に取り付ける餅つき装置の杵頭取り外し方法であって、接合することにより中央部に前記杵軸の径に対応する挿入孔が形成される２つに分割された第１の部材及び第２の部材からなる杵頭取り外し治具を用意する工程と、前記第１の部材と前記第２の部材とで前記杵軸を挟み、前記第１の部材及び前記第２の部材の端部に設けられた取付用螺子を締め付けることにより前記第１の部材と前記第２の部材とを接合して前記杵軸に前記第１の部材及び第２の部材を取り付ける工程と、前記第１の部材及び前記第２の部材のそれぞれに植設された複数の取外し用螺子を均等に順次締め付けることにより、前記取外し用螺子の先端を前記杵頭に当接させ、これにより前記杵頭を前記杵軸に対して押し下げて前記杵頭を前記杵軸から取り外す工程と、を具備することを特徴とする。
【発明の効果】
【００１３】
本発明は、杵軸の先端に形成されたテーパ部を杵頭に穿設された孔に圧入することにより前記杵軸に前記杵頭を取り付ける餅つき装置の杵頭取り外し治具であって、接合することにより中央部に前記杵軸の径に対応する挿入孔が形成される２つに分割された第１の部材及び第２の部材と、前記第１の部材及び前記第２の部材の端部に設けられ、前記第１の部材と前記第２の部材とを接合して締め付けることにより、前記第１の部材及び第２の部材を前記杵軸に取り付ける取付用螺子と、前記第１の部材及び前記第２の部材のそれぞれに植設され、締め付けることにより先端が前記杵頭に当接して、前記杵頭を前記杵軸に対して押し下げ、前記杵頭を前記杵軸から取り外す複数の取外し用螺子と、を具備して構成されるので、圧入により杵軸に固定された杵頭を杵軸から容易かつ迅速に取り外すことができるという効果を奏する。
【図面の簡単な説明】
【００１４】
【図１】図１は、本発明に係る杵頭取り外し治具及び杵頭取り外し方法が適用される高速連続餅つき装置の全体の概要を示す正面図である。
【図２】図２は、図１に示した高速連続餅つき装置餅つき装置の一部拡大図である。
【図３】図３は、図１に示した高速連続餅つき装置餅つき装置の杵頭の拡大側面図ある。
【図４】図４は、本発明に係る杵頭取り外し治具の詳細を示す上面図及び側面図である。
【図５】図５は、図４に示した杵頭取り外し治具を用いた杵頭取り外し方法を説明する上面図、側面図である。
【発明を実施するための形態】
【００１５】
以下、本発明を実施するための実施例について、願書に添付した図面を参照しながら詳細に説明する。
【００１６】
図１は、図１は、本発明に係る杵頭取り外し治具及び杵頭取り外し方法が適用される高速連続餅つき装置の全体の概要を示す正面図であり、図２は、図１に示した高速連続餅つき装置の一部拡大図である。
【００１７】
図１及び図２において、本実施例の高速連続餅つき装置１００は、円盤状の台座１０と、円盤状の台座１０の周縁に沿って設置された複数、この実施例では１２台の臼装置２０と、臼装置２０に対応して配設され、先端に杵頭３０を有する１２本の杵軸４０と、臼装置２０の上部に配設された筐体１の底板１ａに取り付けられ、杵軸４０をそれぞれ摺動自在に保持する１２個の杵軸すべり軸受６０と、筐体１の内部に設けられ、杵軸４０を介して杵頭３０を持ち上げるとともに、自由落下で杵頭３０を臼装置２０の臼２１内に落下させる杵頭落下制御機構５０とを具備して構成される。
【００１８】
ここで、円盤状の台座１０は、モータ１１により、ギアボックス１２を介して所定速度で回転駆動される。
【００１９】
臼装置２０は、図２に詳細を示すように、臼２１と、この臼２１の底面２１ａを回転駆動する、モータ２２により、シャフト２３、ギアボックス２４を含む回転駆動機構とを有している。
【００２０】
筐体１は、円盤状の台座１０の回転に同期して回転し、杵頭３０が対応する臼装置２０の臼２１に常に対峙するように制御される。
【００２１】
杵頭落下制御機構５０は、杵軸４０の上部に固定された羽受部４０ａと、モータ５１により、プーリ５２、ベルト５３、プーリ５４を介して回転駆動され、羽受部４０ａを下方から叩くことにより、杵軸４０を上方に移動させるとともに、杵軸４０に回転を加える羽根部材５５とを有する。４０ｂは、杵軸４０に対して下方に力を加える重りである。
【００２２】
上記構成からなる高速連続餅つき装置１００において、１台の臼装置２０と先端に杵頭３０を有する１本の杵軸４０とによって１基の餅つき装置を構成しており、この高速連続餅つき装置１００においては、上記餅つき装置を１２基、円盤状の台座１０の周縁に沿って設置し、この１２基の餅つき装置を順次連続して稼働することにより、高速連餅つきを可能にしている。
【００２３】
そして、この高速連続餅つき装置１００においては、各基の餅つき装置が一周すると、餅つきが完了するように構成されているので、作業員は、餅つき装置の回転の起点となる位置で、餅つきの材料を投入すればよく、１人の作業員により１２基の餅つき装置を用いたの餅つき作業が可能になる。
【００２４】
図３は、図１に示した高速連続餅つき装置餅つき装置の杵頭の拡大側面図ある。。
【００２５】
図３に示すように、先端に杵頭３０を有する杵軸４０は、杵軸すべり軸受６０により摺動自在に保持するもので、この杵軸すべり軸受６０は、円筒形の円筒部６０ａと、円筒部６０ａを筐体１の底板１ａに螺子６０ｃにより螺子止め固定するためのフランジ部６０ｂを有している。
【００２６】
また、杵頭３０の上部には杵頭保持部材３０ａが螺子３０ｂにより固定されている。杵軸４０は、先端にテーパ部４０ｃが形成されおり、このテーパ部４０ｃを杵頭保持部材３０ａに形成された圧入孔３０ｃに圧入することで、杵軸４０に杵頭３０が固定されている。
【００２７】
図４は、本発明に係る杵頭取り外し治具の詳細を示す図で、図４（Ａ）は、上面図、図４（Ｂ）は、側面図である。
【００２８】
また、図５は、図４に示した杵頭取り外し治具を用いた杵頭取り外し方法を説明する図で、図５（Ａ）は、上面図、図５（Ｂ）は、側面図である。
【００２９】
図４、図５において、本発明に係る杵頭取り外し治具７０は、接合することにより中央部に杵軸４０の径に対応する挿入孔７４が形成される２つに分割された第１の部材７１ａ及び第２の部材７１ｂと、第１の部材７１ａ及び第２の部材７１ｂの端部に設けられ、第１の部材７１ａと第２の部材７１ｂとを接合して締め付けることにより、第１の部材７１ａ及び第２の部材７１ｂを杵軸４０に取り付ける取付用螺子７２ａ、７２ｂと、第１の部材７１ａ及び第２の部材７１ｂのそれぞれに設けられ、締め付けることにより先端が杵頭３０に当接して、杵頭３０を杵軸４０対して押し下げ、杵頭３０を杵軸４０から取り外すための複数の取外し用螺子７６が植設される螺子孔７３ａ、７３ｂ，７３ｃ、７３ｄとを具備する。
【００３０】
上記構成からなる杵頭取り外し治具７０を用いて杵頭３０を杵軸４０から取り外す手順は以下のようになる。
【００３１】
１）図４（Ａ）及び（Ｂ） に示す第１の部材７１ａと第２の部材７１ｂとからなる杵頭取り外し治具７０を用意する。
【００３２】
２）第１の部材７１ａ及び第２の部材７１ｂの螺子孔７３ａ、７３ｂ，７３ｃ、７３ｄに取外し用螺子７６をそれぞれねじ込む。
【００３３】
３）取外し用螺子７６をねじ込んだ第１の部材７１ａと第２の部材７１ｂとで杵軸４０を挟み、取付用螺子７２ａ、７２ｂを締め付けつことにより、第１の部材７１ａと第２の部材７１ｂとからなる杵頭取り外し治具７０を図５（Ｂ）に示すように杵軸４０に取り付け固定する。
【００３４】
４）第１の部材７１ａと第２の部材７１ｂとにねじ込んだ取外し用螺子７６を順次均等に締め付ける。
【００３５】
５）これにより、杵頭３０は杵軸４０に対して押し下げられ、杵頭３０は杵軸４０から取り外される。
【００３６】
なお、杵軸４０には、テーパ部４０ｃとの接合部に、杵軸４０の径から僅かに小さくなる段差部７５を有しているので、挿入孔７４の内周面に段差部７５に対応する段差が形成され、第１の部材７１ａ及び第２の部材７１ｂからなる杵頭取り外し治具７０は、図５（Ｂ）に示すように、杵軸４０の段差部７５を含む位置に取り付けられる。
【００３７】
このような構成によると、取外し用螺子７６の締め付けに際して、第１の部材７１ａ及び第２の部材７１ｂの軸方向の移動を確実に防止することができる。
【００３８】
また、取外し用螺子７６は、図５（Ｂ）に示すように、その先端が杵頭保持部材３０ａを取り付ける螺子３０ｂの頭部に当接させ、これにより杵頭３０を杵軸４０に対して押し下げるようにすれば、杵軸４０から杵頭３０を確実、容易に取り外すことができる。
【００３９】
本発明は上述の実施形態に限定されるものではなく、本発明の技術的思想の範囲内であれば、当業者の通常の創作能力によって多くの変形が可能である。
【符号の説明】
【００４０】
１…筐体
１ａ…底板
１０…台座
１１…モータ
１２…ギアボックス
２０…臼装置
２１…臼
２２…モータ
２３…シャフト
２４…ギアボックス
３０…杵頭
３０ａ…杵頭保持部材
３０ｂ…螺子
３０ｃ…圧入孔
４０…杵軸
４０ａ…羽受部
４０ｂ…重り
４０ｃ…テーパ部
５０…杵頭落下制御機構
５１…モータ
５２…プーリ
５３…ベルト
５４…プーリ
５５…羽根部材
６０…杵軸すべり軸受
６０ａ…円筒部
６０ｂ…フランジ部
７０…杵頭取り外し治具
７１ａ…第１の部材
７１ｂ…第１の部材
７２ａ…取付用螺子
７２ｂ…取付用螺子
７３ａ、７３ｂ、７３ｃ、７３ｄ…螺子孔
７４…挿入孔
７５…段差部
７６…取外し用螺子
１００…高速連続餅つき装置
【図１】
2017226055.tif 000003
【図２】
2017226055.tif 000004
【図３】
2017226055.tif 000005
【図４】
2017226055.tif 000006
【図５】
2017226055.tif 000007